(57)【要約】【課題】広いスペースを要さずに設置することができるストレーナを具備する配管継手を提供することを課題とする。【解決手段】水道管またはボイラに接続される配管と水栓器具に接続される配管とをつなぎ合わせる配管継手１であって、止水栓機能を有し水道管またはボイラに接続される配管に接続される上流側継手１０と、逆支弁機能を有し上流側継手１０の下流側に配置され水栓器具に接続される配管に接続される下流側継手３０と、配管継手１の流路に流入した水または湯をろ過するストレーナ５０とを具備し、下流側継手３０が上流側継手１０に取付けられることにより、上流側継手１０と下流側継手３０とに挟まれるようにして配管継手１内における配管継手１の流路上にストレーナ５０が支持され、上流側継手１０と下流側継手３０とストレーナ５０とが一体的にして構成される。【選択図】図１
2013044393.tif 000002
【特許請求の範囲】
【請求項１】
水道管またはボイラに接続される配管と水栓器具に接続される配管とをつなぎ合わせる、配管継手であって、
止水栓機能を有し、水道管またはボイラに接続される配管に接続される、上流側継手と、
逆支弁機能を有し、前記上流側継手の下流側に配置され、水栓器具に接続される配管に接続される、下流側継手と、
前記配管継手における水または湯の流路に流入した水または湯をろ過する、ストレーナと、を具備し、
前記下流側継手が前記上流側継手に取付けられることにより、前記上流側継手と前記下流側継手とに挟まれるようにして前記配管継手内における前記配管継手の水または湯の流路上に前記ストレーナが支持され、前記上流側継手と前記下流側継手と前記ストレーナとが一体的にして構成される、
配管継手。
【請求項２】
前記下流側継手は、前記上流側継手に取付けまたは取外し可能に構成される、
請求項１に記載の配管継手。
【請求項３】
前記下流側継手が前記上流側継手に取付けられることによって前記配管継手内に形成されるものであり、前記ストレーナの縁部が配置されることによって前記ストレーナを支持する、ストレーナ支持室を備える、
請求項１または請求項２に記載の配管継手。
【発明の詳細な説明】
【技術分野】
【０００１】
本発明は、ストレーナを具備し、水道管またはボイラに接続される配管と水栓器具に接続される配管とをつなぎ合わせる、配管継手の技術に関する。
【背景技術】
【０００２】
従来、ストレーナを具備し、水道管またはボイラに接続される配管と水栓器具に接続される配管とをつなぎ合わせる配管継手に関する技術は公知になっている。
このような配管継手は、水道管またはボイラから供給される水または湯が配管継手の水または湯の流路に流入し、前記水または湯が水栓器具に供給されるように構成される。そして、このような配管継手は、そのストレーナによって、配管継手の水または湯の流路に流入した水または湯をろ過してこれからゴミを取除くように構成される。
また、このような配管継手には、ストレーナを具備するとともに止水栓機能を有するもの、または、ストレーナを具備するとともに逆止弁機能を有するもの等がある（特許文献１参照）。
【先行技術文献】
【特許文献】
【０００３】
【特許文献１】特開２００９−３６２５０号公報
【発明の概要】
【発明が解決しようとする課題】
【０００４】
しかしながら、このようなストレーナを具備する配管継手では、これの設置作業時またはストレーナの清掃若しくは取替え等のメンテナンス作業時に、水または湯の流路を閉鎖して前記作業をおこなう。このため、このようなストレーナを具備する配管継手の周辺には、止水栓機能を有する配管継手、および、逆止弁機能を有する配管継手等が設置される。
また、前記ストレーナを具備するとともに止水栓機能を有する配管継手の下流側には、逆支弁機能を有する配管継手が設置される。前記ストレーナを具備するとともに逆止弁機能を有する配管継手の上流側には、止水栓機能を有する配管継手が設置される。
【０００５】
このように、従来におけるストレーナを具備する配管継手では、周辺にさらに別の配管継手（止水栓機能を有する配管継手、および／または、逆止弁機能を有する配管継手）が設置されるため、ストレーナを具備する配管継手を配置するためには広いスペースを要する。
【０００６】
本発明は以上の如き状況に鑑みてなされたものであり、広いスペースを要さずに設置することができるストレーナを具備する配管継手を提供することを課題とする。
【課題を解決するための手段】
【０００７】
本発明の解決しようとする課題は以上の如くであり、次にこの課題を解決するための手段を説明する。
【０００８】
即ち、請求項１においては、水道管またはボイラに接続される配管と水栓器具に接続される配管とをつなぎ合わせる、配管継手であって、止水栓機能を有し、水道管またはボイラに接続される配管に接続される、上流側継手と、逆支弁機能を有し、前記上流側継手の下流側に配置され、水栓器具に接続される配管に接続される、下流側継手と、前記配管継手における水または湯の流路に流入した水または湯をろ過する、ストレーナと、を具備し、前記下流側継手が前記上流側継手に取付けられることにより、前記上流側継手と前記下流側継手とに挟まれるようにして前記配管継手内における前記配管継手の水または湯の流路上に前記ストレーナが支持され、前記上流側継手と前記下流側継手と前記ストレーナとが一体的にして構成されるものである。
【０００９】
請求項２においては、前記下流側継手は、前記上流側継手に取付けまたは取外し可能に構成されるものである。
【００１０】
請求項３においては、前記下流側継手が前記上流側継手に取付けられることによって配管継手内に形成されるものであり、前記ストレーナの縁部が配置されることによって前記ストレーナを支持する、ストレーナ支持室を備えるものである。
【発明の効果】
【００１１】
本発明の効果として、以下に示すような効果を奏する。
【００１２】
即ち、本発明によれば、ストレーナを具備する配管継手を広いスペースを要さずに設置することができる。
【図面の簡単な説明】
【００１３】
【図１】本発明の実施形態に係る配管継手の全体的な構成を示した斜視図。
【図２】本発明の実施形態に係る配管継手を上流側継手と下流側継手とストレーナとに分解した状態を示した正面図。
【図３】本発明の実施形態に係る配管継手の全体的な構成を示した正面図。
【図４】同じく平面図。
【図５】同じく底面図。
【図６】同じく左側面図。
【図７】同じく右側面図。
【図８】本発明の実施形態に係る配管継手の平面視縦断面図。
【図９】本発明の実施形態に係る配管継手における下流側部材の逆止弁が移動する状態を示した拡大断面図。
【図１０】クイックファスナを示した正面図。
【図１１】クイックファスナを示した側面図。
【図１２】本発明の実施形態に係る配管継手にクイックファスナを装着した状態を示した正面図。
【図１３】本発明の実施形態に係る配管継手の全体的な構成を示した斜視図。
【図１４】同じく正面図。
【図１５】同じく背面図。
【図１６】同じく平面図。
【図１７】同じく底面図。
【図１８】同じく左側面図。
【図１９】同じく右側面図。
【図２０】同じく平面視縦断面図。
【図２１】本発明の実施形態に係る配管継手を上流側継手と下流側継手とストレーナとに分解した状態を示した正面図。
【発明を実施するための形態】
【００１４】
次に、本発明の実施形態に係る配管継手１について、図１から図２１を用いて説明する。
【００１５】
配管継手１は、図１乃至図８に示すように、ストレーナ５０を具備し、水道管またはボイラに接続される配管と水栓器具に接続される配管とをつなぎ合わせるものである。前記配管が接続される水栓器具には、例えば、サーモスタッドがある。
配管継手１は、全体として略筒状に構成される。前記略筒状に構成される配管継手１内は、配管継手１の水または湯の流路（以下、「配管継手１の流路」と称する）として構成される。配管継手１は、配管継手１の流路をその内部に有する。
配管継手１は、水道管またはボイラから供給される水または湯が水道管またはボイラに接続される配管を介して上流側の開口１ａから配管継手１の流路に流入するように構成される。
配管継手１は、前記配管継手１の流路に流入した水または湯が下流側の開口１ｂから流出して、水栓器具に接続される配管を介して水栓器具に供給されるように構成される。
【００１６】
配管継手１におけるストレーナ５０は、配管継手１の流路に流入した水または湯をろ過して、当該水または湯からゴミを取除くものである。ストレーナ５０は、配管継手１内における配管継手１の流路（配管継手１の流路上）に配置される。
【００１７】
また、配管継手１は、上流側継手１０と、下流側継手３０と、を具備する。
配管継手１は、上流側継手１０と下流側継手３０とストレーナ５０とが一体的にして構成される。
【００１８】
配管継手１における上流側継手１０は、下流側継手３０の上流側に配置される。
上流側継手１０は、止水栓機能を有して構成される。上流側継手１０の止水栓機能とは、配管継手１の流路を開放することによって上流側の開口１ａから配管継手１の流路に流入した水または湯を下流側の開口１ｂから流出させ、または、配管継手１の流路を閉鎖することによって当該水または湯を下流側に流出しないようにするものである。
上流側継手１０は、配管継手１の流路の開閉を弁体によっておこなうように構成される。
【００１９】
配管継手１における下流側継手３０は、上流側継手１０の下流側に配置される。
下流側継手３０は、上流側継手１０に、取付けまたは取外し可能に構成される。
下流側継手３０は、逆止弁機能を有して構成される。下流側継手３０の逆止弁機能とは、配管継手１の流路を開放することによって配管継手１の流路に流入した水または湯を下流側の開口１ｂから流出させ、または、配管継手１の流路を閉鎖することによって下流側から上流側に水または湯を逆流させないようにするものである。
下流側継手３０は、配管継手１の流路の開閉を弁体３２によっておこなうように構成される。
【００２０】
配管継手１における上流側継手１０は、上流側筒部材２０と、ボールバルブ１３と、弁軸１５と、ハンドル１６と、を備える。
【００２１】
配管継手１における上流側継手１０の上流側筒部材２０は、略筒状に構成される。前記略筒状に構成される上流側継手１０の上流側筒部材２０内は、配管継手１の流路の一部として構成される。上流側継手１０の上流側筒部材２０は、配管継手１の流路の一部を上流側筒部材２０の内部に有する。
【００２２】
配管継手１における上流側継手１０の上流側筒部材２０は、その上流側部２０ａに水道管またはボイラに接続される配管に接続可能に構成される。
上流側継手１０における上流側筒部材２０の上流側部２０ａは、その外径が他の部分（中途部２０ｂおよび下流側部２０ｃ）の外径よりも小さく構成される。上流側継手１０における上流側筒部材２０の上流側部２０ａの外周面には、雄ネジが形成される。
上流側継手１０における上流側筒部材２０の上流側部２０ａの雄ネジと、水道管またはボイラに接続される配管に設けられる雌ネジ（不図示）とを螺合させることにより、上流側筒部材２０の上流側部２０ａに水道管またはボイラに接続される配管が接続される。
このように水道管またはボイラに接続される配管が接続されることにより、上流側継手１０における上流側筒部材２０は、水道管またはボイラから供給される水または湯が水道管またはボイラに接続される配管を介して上流側の開口１ａから配管継手１の流路（上流側筒部材２０内）に流入するように構成される。
【００２３】
配管継手１における上流側継手１０の上流側筒部材２０は、その下流側部２０ｃに、下流側継手３０における下流側筒部材４０の上流側部４０ａを接続可能に構成される。
上流側継手１０の上流側筒部材２０の下流側部２０ｃは、その外周にクイックファスナ６０が装着される装着溝２１が形成されて構成される。
【００２４】
配管継手１における上流側継手１０の上流側筒部材２０は、その中途部２０ｂ内にボールバルブ１３（弁体）を配置可能に構成される。
上流側継手１０の上流側筒部材２０は、その中途部２０ｂの上面から上方に突出する突出部２２を有して構成される。
上流側継手１０の上流側筒部材２０の突出部２２には、弁軸１５の一部が配置される弁軸孔２３が形成される。
上流側継手１０の上流側筒部材２０の弁軸孔２３は、突出部２２の軸心に沿って（上下方向に）、突出部２２の上端から上流側筒部材２０内に貫通するように形成される。
【００２５】
配管継手１における上流側継手１０の上流側筒部材２０は、上流側筒部材２０内における中途部２０ｂと下流側部２０ｃとの境界部分に段部２４を有して構成される。
上流側継手１０の上流側筒部材２０の段部２４は、上流側筒部材２０の下流側部２０ｃの内径が中途部２０ｂの内径よりも大きく形成されることによって上流側筒部材２０内に形成される段差で構成される。
【００２６】
配管継手１における上流側継手１０のボールバルブ１３は、上流側継手１０の弁体として構成される。上流側継手１０のボールバルブ１３は、上流側筒部材２０の中途部２０ｂ内に配置される。
上流側継手１０は、ボールバルブ１３を回転させることによって、配管継手１の流路を開閉可能に構成される。
【００２７】
配管継手１における上流側継手１０のボールバルブ１３は、略球状の部材に貫通孔１４が形成されて構成される。
上流側継手１０におけるボールバルブ１３の貫通孔１４の内径は、上流側筒部材２０の上流側部２０ａの内径と略同一に構成される。上流側継手１０におけるボールバルブ１３の貫通孔１４は、継手１の流路の一部として構成される。
そして、上流側継手１０は、ボールバルブ１３の貫通孔１４を上流側筒部材２０の上流側部２０ａ内と下流側部２０ｃ内とに連通させることにより、配管継手１の流路を開放するように構成される。
また、上流側継手１０は、このような状態からボールバルブ１３を９０度回転させて、ボールバルブ１３の貫通孔１４を除く外面部分で上流側部２０ａ内と下流側部２０ｃ内とを遮断することにより、配管継手１の流路を閉鎖するように構成される。
【００２８】
配管継手１における上流側継手１０の弁軸１５は、その下部が上流側筒部材２０の弁軸孔２３に配置されるとともに、その上端が上流側筒部材２０における弁軸孔２３の上方の開口から上方に突出するように配置される。
上流側継手１０の弁軸１５は、下端部がボールバルブ１３の上端に接続されてボールバルブ１３に固定される。上流側継手１０の弁軸１５の上端部には、ハンドル１６が設けられる。上流側継手１０のボールバルブ１３、弁軸１５、および、ハンドル１６は、弁軸１５の軸心を中心として一体的に回転可能に構成される。
このようにして上流側継手１０は、ハンドル１６を回転させることによって弁軸１５およびボールバルブ１３を回転させて、配管継手１の流路の開閉をおこなうように構成される。
このようにして、上流側継手１０は、止水栓機能を有するように構成される。
【００２９】
配管継手１における下流側継手３０は、下流側筒部材４０と、弁体３２と、支持部材３３と、を備える。
【００３０】
配管継手１における下流側継手３０の下流側筒部材４０は、略筒状に構成される。前記略筒状に構成される下流側継手３０の下流側筒部材４０内は、配管継手１の流路の一部として構成される。下流側継手３０の下流側筒部材４０は、配管継手１の流路の一部を下流側筒部材４０の内部に有する。
【００３１】
配管継手１における下流側継手３０の下流側筒部材４０は、その上流側部４０ａに、上流側継手１０における上流側筒部材２０の下流側部２０ｃに接続可能に構成される。
下流側継手３０における下流側筒部材４０の上流側部４０ａの外径は、その中途部４０ｂの外径よりも小さく構成される。下流側継手３０における下流側筒部材４０の上流側部４０ａは、その外径が上流側継手１０における上流側筒部材２０の下流側部２０ｃの内径と略同一に構成されて、上流側継手１０の上流側筒部材２０における下流側部２０ｃ内に嵌挿可能に構成される。
【００３２】
配管継手１では、下流側継手３０における下流側筒部材４０の上流側部４０ａを上流側継手１０における上流側筒部材２０の下流側部２０ｃに嵌挿することによって、下流側継手３０における下流側筒部材４０の上流側部４０ａに上流側継手１０における上流側筒部材２０の下流側部２０ｃが接続される。
そして、下流側継手３０は、下流側継手３０における下流側筒部材４０の上流側部４０ａを上流側継手１０における上流側筒部材２０の下流側部２０ｃに嵌挿することによって、上流側継手１０に取付けられるように構成される。下流側継手３０が上流側継手１０に取付けられた状態では、下流側継手３０の下流側筒部材４０内と上流側継手１０の上流側筒部材２０内とが連通した状態となる。このように下流側継手３０が上流側継手１０に取付けられることにより、下流側継手３０における配管継手１の流路と上流側継手１０における配管継手１の流路とが連続することとなり、上流側継手１０内に流入した水または湯が下流側継手３０内（下流側継手３０の下流側筒部材４０内）に流入することとなる。
また、下流側継手３０は、斯かる状態の下流側継手３０における下流側筒部材４０の上流側部４０ａを上流側継手１０における上流側筒部材２０の下流側部２０ｃから引抜くことによって、上流側継手１０から取外されるように構成される（図２参照）。
【００３３】
下流側継手３０における下流側筒部材４０の上流側部４０ａの外周面には、環状のオーリング配置溝４２が形成される。下流側継手３０における下流側筒部材４０のオーリング配置溝４２には、オーリング３１が配置される。
【００３４】
配管継手１における下流側継手３０の下流側筒部材４０は、その下流側に水栓器具に接続される配管に接続可能に構成される。
下流側継手３０の下流側筒部材４０の下流側部４０ｃは、その外径が中途部４０ｂの外径よりも小さく構成される。上流側継手１０における上流側筒部材２０の下流側部２０ｃの外周面には、雄ネジが形成される。
下流側継手３０における下流側筒部材４０の上流側部４０ａの雄ネジと、水栓器具に接続される配管に設けられる雌ネジ（不図示）とを螺合させることにより、下流側筒部材４０の下流側部４０ｃに水栓器具に接続される配管が接続される。
このように水栓器具に接続される配管が接続されることにより、下流側継手３０における下流側筒部材４０は、配管継手１の流路（下流側筒部材４０内）に流入した水または湯を、水栓器具に接続される配管を介して水栓器具に供給するように構成される。
【００３５】
配管継手１における下流側継手３０の下流側筒部材４０は、その中途部４０ｂ内に弁体３２と支持部材３３とを配置可能に構成される。
下流側継手３０の下流側筒部材４０の下流側部４０ｃは、その外周にクイックファスナ６０が装着される装着溝３１が形成されて構成される。
【００３６】
配管継手１における下流側継手３０の下流側筒部材４０は、下流側筒部材４０内における中途部４０ｂと上流側部４０ａとの境界部分に弁座４３を有して構成される。
下流側継手３０の下流側筒部材４０の弁座４３は、下流側筒部材４０の中途部４０ｂの内径が上流側部４０ａの内径よりも大きく形成されることによって下流側筒部材４０内に形成される段差で構成される。
【００３７】
配管継手１における下流側継手３０の支持部材３３は、弁体３２を支持するものである。下流側継手３０の支持部材３３は、弁体３２の一部が嵌挿されて当該弁体３２を支持する支持孔３４を有する。
下流側継手３０の支持部材３３は、下流側筒部材４０の中途部４０ｂ内に固定される。
【００３８】
配管継手１における下流側継手３０の弁体３２は、支持部材３３によって支持されて、下流側筒部材４０の中途部４０ｂ内に配置される。下流側継手３０の弁体３２は、支持部材３３に支持された状態で、上流側と下流側とに移動可能に構成される。
下流側継手３０の弁体３２は、バネ３５によって上流側に付勢される。
下流側継手３０の弁体３２は、配管継手１の流路（下流側継手３０の下流側筒部材４０内）において上流側から下流側への水流が生じないときには、バネ３５によって上流側に付勢されて弁座４３に着座し、配管継手１の流路を閉鎖するように構成される。
下流側継手３０の弁体３２は、配管継手１の流路（下流側継手３０の下流側筒部材４０内）において上流側から下流側への水流が生じたときには、バネ３５の付勢力に抗って下流側に移動して弁座４３から離座し、配管継手１の流路を開放するように構成される（図９参照）。
このようにして、下流側継手３０は、配管継手１における下流側から上流側へ水または湯が逆流することを防止する逆止弁機能を有するように構成される。
【００３９】
配管継手１は、下流側継手３０における下流側筒部材４０の上流側部４０ａが上流側継手１０における上流側筒部材２０の下流側部２０ｃに嵌挿された状態（下流側継手３０が上流側継手１０に取付けられた状態）で、下流側筒部材４０の上流側部４０ａの上流側端が、上流側筒部材２０の段部２４に当接しないように構成される。
配管継手１は、下流側継手３０が上流側継手１０に取付けられた状態で、下流側継手３０における下流側筒部材４０の上流側部４０ａの上流側端と上流側継手１０における上流側筒部材２０の段部２４との間に所定の隙間が形成されるように構成される。
下流側継手３０における下流側筒部材４０の上流側部４０ａは、前記下流側筒部材４０の上流側部４０ａの上流側端と上流側継手１０における上流側筒部材２０の段部２４との間に所定の隙間が生じるように、その軸心方向の長さが、上流側筒部材２０の下流側部２０ｃの軸心方向の長さよりも短く形成されて構成される。
【００４０】
配管継手１は、配管継手１の流路上に、ストレーナ５０を支持するストレーナ支持室１ｃを備えて構成される。
前記下流側継手３０における下流側筒部材４０の上流側部４０ａの上流側端と上流側継手１０における上流側筒部材２０の段部２４との間の所定の隙間（空間）は、ストレーナ支持室１ｃとして構成される。つまり、ストレーナ支持室１ｃは、下流側継手３０が上流側継手１０に取付けられることによって配管継手１内に形成される。
ストレーナ支持室１ｃは、配管継手１の流路において、上流側継手１０の弁体３２（ボールバルブ１３）と下流側継手３０の弁体３２との間に配置される。
【００４１】
配管継手１におけるストレーナ５０は、網状部材５２の周縁に環状の枠部材５１が設けられて構成される。
ストレーナ５０の網状部材５２は、配管継手１の流路に流入した水または湯をろ過して、当該水または湯からゴミを取除くものであり、網状に構成される。ストレーナ５０の枠部材５１は、ストレーナ５０の縁部を構成する。
ストレーナ５０は、その枠部材５１がストレーナ支持室１ｃに配置されることによって、ストレーナ支持室１ｃに支持されるように構成される。
ストレーナ５０の枠部材５１の外径は、上流側継手１０における上流側筒部材２０の中途部２０ｂの内径よりも大きく構成される。ストレーナ５０の枠部材５１は、その厚みが前記下流側継手３０における下流側筒部材４０の上流側部４０ａの上流側端と上流側継手１０における上流側筒部材２０の段部２４との間に所定の隙間よりも小さく形成される。
【００４２】
以上のように構成される配管継手１では、上流側継手１０における上流側筒部材２０の下流側部２０ｃの開口から、上流側筒部材２０の下流側部２０ｃ内（配管継手１の流路）にストレーナ５０を配置する。そして、下流側継手３０における下流側筒部材４０の上流側部４０ａを上流側継手１０における上流側筒部材２０の下流側部２０ｃに嵌挿して、下流側継手３０を上流側継手１０に取付ける。
このように下流側継手３０を上流側継手１０に取付けることにより、ストレーナ支持室１ｃにストレーナ５０の枠部材５１（ストレーナ５０の縁部）が配置されて、ストレーナ支持室１ｃ（配管継手１の流路上において）にストレーナ５０が支持される。またこのように下流側継手３０を上流側継手１０に取付けることにより、上流側継手１０と下流側継手３０とに挟まれるようにして配管継手１内（配管継手１の流路上）にストレーナ５０が支持される。
【００４３】
以上のようにして、配管継手１は、下流側継手３０が上流側継手１０に取付けられることにより、上流側継手と下流側継手とに挟まれるようにして配管継手１内における配管継手１の流路上にストレーナ５０が支持され、上流側継手１０と下流側継手３０とストレーナ５０とが一体的にして構成される。
このように、配管継手１は、ストレーナ５０を具備するとともに止水栓機能および逆止弁機能を有するため、配管継手１では、周辺にさらに別の配管継手（止水栓機能を有する配管継手、および／または、逆止弁機能を有する配管継手）を設置することを要さない。
したがって、配管継手１によれば、広いスペースを要さずにこれを設置することができる。
【００４４】
配管継手１における下流側継手３０は、下流側継手３０における下流側筒部材４０の上流側部４０ａを上流側継手１０における上流側筒部材２０の下流側部２０ｃに嵌挿して、上流側継手１０に取付けられる。また、配管継手１における下流側継手３０は、斯かる状態の下流側継手３０における下流側筒部材４０の上流側部４０ａを上流側継手１０における上流側筒部材２０の下流側部２０ｃから引抜くことによって、上流側継手１０に取付から取外される。
このようにして、配管継手１における下流側継手３０は、上流側継手１０に取付けまたは取外し可能に構成される。
このため、配管継手１によれば、上流側継手１０と上流側継手１０とストレーナ５０とが一体的にして構成しても、配管への配管継手１の接続作業（配管継手１の設置作業）、または、ストレーナ５０の清掃若しくは取替え等の配管継手１内のメンテナンス作業を容易におこなうことができる。
【００４５】
また、配管継手１は、下流側継手３０が上流側継手１０に取付けられることによって配管継手１内に形成されるものであり、ストレーナ５０の縁部が配置されることによってストレーナ５０を支持するストレーナ支持室１ｃを備える。
このように配管継手１では、下流側継手３０を上流側継手１０に取付けるとともに、ストレーナ支持室１ｃにストレーナ５０の枠部材５１（ストレーナ５０の縁部）を配置してストレーナ支持室１ｃにストレーナ５０を支持させる。
このように、配管継手１では、配管継手１の流路にストレーナ５０を容易に配置することができる。
したがって、配管継手１によれば、上流側継手１０と上流側継手１０とストレーナ５０とが一体的にして構成されるものを簡易な構造で実現することができる。
【００４６】
配管継手１における上流側継手１０の上流側筒部材２０は、上流側筒部材本体２５と、継手接続部材２６と、弁体支持部材２７と、で構成される。
【００４７】
配管継手１における上流側継手１０の上流側筒部材２０の上流側筒部材本体２５は、上流側筒部材２０における上流側部２０ａと中途部２０ｂとを構成する。つまり、上流側筒部材２０の上流側筒部材本体２５は、水道管またはボイラに接続される配管に接続可能に構成され、内部にボールバルブ１３（弁体）を配置可能に構成され、突出部２２を有して構成される。
【００４８】
配管継手１における上流側継手１０の上流側筒部材２０の弁体支持部材２７は、ボールバルブ１３を支持するものであり、上流側筒部材本体２５内に配置される。
【００４９】
配管継手１における上流側継手１０の上流側筒部材２０の継手接続部材２６は、上流側筒部材２０における下流側部２０ｃを構成する。つまり、上流側筒部材２０の継手接続部材２６は、下流側継手３０における下流側筒部材４０の上流側部２０ａを接続可能に構成され、クイックファスナ６０が装着される装着溝２１が形成されて構成される。
上流側筒部材２０の継手接続部材２６は、その内部に段部２４を有して構成される。上流側筒部材２０の継手接続部材２６は、その上流側が上流側筒部材本体２５の下流側に嵌挿されて上流側筒部材本体２５に固定される。
【００５０】
配管継手１における下流側継手３０の下流側筒部材４０は、下流側筒部材本体４４と、配管接続部材４５と、で構成される。
【００５１】
配管継手１における下流側継手３０の下流側筒部材４０の下流側筒部材本体４４は、下流側筒部材４０における上流側部４０ａと中途部４０ｂとを構成する。つまり、下流側筒部材４０の下流側筒部材本体４４は、上流側継手１０における上流側筒部材２０の下流側部２０ｃに接続可能に構成され、その内部に弁体３２と支持部材３３を配置可能に構成され、その内部に弁座４３を有し、クイックファスナ６０が装着される装着溝３１が形成されて構成される。
【００５２】
配管継手１における下流側継手３０の下流側筒部材４０の配管接続部材４５は、下流側筒部材４０における下流側部４０ｃを構成する。つまり、下流側筒部材４０の配管接続部材４５は、水栓器具に接続される配管に接続可能に構成される。下流側筒部材４０の配管接続部材４５は、その上流側が下流側筒部材本体４４の下流側に嵌挿されて下流側筒部材本体４４に固定される。
【００５３】
なお、配管継手１は、上流側継手１０における上流側筒部材２０の装着溝２１と下流側継手３０における下流側筒部材４０装着溝３１とにクイックファスナ６０を装着してもよい（図１０から図１２参照）。このように、クイックファスナ６０を配管継手１に装着することで、クイックファスナ６０が上流側筒部材２０の装着溝２１および下流側筒部材４０装着溝３１に係止して、上流側筒部材２０の下流側部２０ｃから下流側筒部材４０の上流側部４０ａが抜け出ることが防止される。
また、配管継手１における上流側継手１０の上流側筒部材２０の上流側部２０ａは、雌ネジが形成される袋ナット２８で構成してもよい（図１３から図２１参照）。このとき、上流側継手１０における上流側筒部材２０の上流側部２０ａの袋ナット２８の雌ネジと、水道管またはボイラに接続される配管に設けられる雄ネジ（不図示）とを螺合させることにより、上流側筒部材２０の上流側部２０ａに水道管またはボイラに接続される配管が接続される。
【符号の説明】
【００５４】
１    継手
１０    上流側継手
３０    下流側継手
５０    ストレーナ
【図１】
2013044393.tif 000003
【図２】
2013044393.tif 000004
【図３】
2013044393.tif 000005
【図４】
2013044393.tif 000006
【図５】
2013044393.tif 000007
【図６】
2013044393.tif 000008
【図７】
2013044393.tif 000009
【図８】
2013044393.tif 000010
【図９】
2013044393.tif 000011
【図１０】
2013044393.tif 000012
【図１１】
2013044393.tif 000013
【図１２】
2013044393.tif 000014
【図１３】
2013044393.tif 000015
【図１４】
2013044393.tif 000016
【図１５】
2013044393.tif 000017
【図１６】
2013044393.tif 000018
【図１７】
2013044393.tif 000019
【図１８】
2013044393.tif 000020
【図１９】
2013044393.tif 000021
【図２０】
2013044393.tif 000022
【図２１】
2013044393.tif 000023